(57)【要約】【課題】開閉蓋を好適な勢いで開かせることができる蓋体及びこれを用いた包装容器を提供する。【解決手段】容器本体の開口へ取り付け可能であり、枠部と、枠部に取り付けられ、ヒンジ機構によって搖動可能な開閉蓋と、開閉蓋の閉状態において、ヒンジ機構の近傍において開閉蓋と枠部の間でヒンジ機構に向かって屈曲部が突出するように折り曲げられて取り付けられた板ゴムとを含む蓋体であって、枠部は、板ゴムの移動を規制する規制部を備え、開閉蓋は、閉状態において、折り曲げられた板ゴムの一端縁に所定の押圧で当接するように、板ゴムに対向する面から突出する当接部を備え、板ゴムは、開閉蓋が閉状態から開状態になる際に、折り曲げられた状態から平坦に伸ばされた状態に向かって変形しながら、一端縁が当接部を押して、開閉蓋を開状態となる方向に付勢することができる。【選択図】図１
2020132209.tif 000002
【特許請求の範囲】
【請求項１】
容器本体の開口へ取り付け可能であり、前記容器本体の内容物の取り出し口が形成された枠部と、
前記枠部に取り付けられ、前記取り出し口を閉塞した閉状態と、閉塞しない開状態との間でヒンジ機構によって搖動可能な開閉蓋と、
前記開閉蓋の閉状態において、前記ヒンジ機構の近傍において前記開閉蓋と前記枠部の間で前記ヒンジ機構に向かって屈曲部が突出するように折り曲げられて取り付けられた板ゴムとを含む蓋体であって、
前記枠部は、前記板ゴムの移動を規制する規制部を備え、
前記開閉蓋は、前記閉状態において、折り曲げられた前記板ゴムの一端縁に所定の押圧で当接するように、前記板ゴムに対向する面から突出する当接部を備え、
前記板ゴムは、前記開閉蓋が閉状態から開状態になる際に、折り曲げられた状態から平坦に伸ばされた状態に向かって変形しながら、前記一端縁が前記当接部を押して、前記開閉蓋を前記開状態となる方向に付勢することができる、
蓋体。
【請求項２】
前記開閉蓋は、
前記板ゴムに対向する面から突出し、前記板ゴムに形成された孔に挿通される柱状の突出部を備え、
前記突出部は、
前記開閉蓋が前記閉状態となる際に、前記板ゴムの前記屈曲部が前記ヒンジ機構に向かって突出するように折り曲げられるように、前記板ゴムの折り曲げられる方向を規制する、
請求項１に記載の蓋体。
【請求項３】
前記枠部の前記容器本体とは反対側の面上に搖動可能に取り付けられた押しボタンをさらに備え、
前記押しボタンは、
板状の押圧部と、
前記開閉蓋に設けられた爪部を嵌め込むことができる開口と、
前記押圧部の前記枠部に対向する面に設けられ、前記押圧部を前記枠部から離れる方向に付勢するバネ部とを含み、
前記開口に前記開閉蓋の前記爪部を嵌め込むことにより前記開閉蓋を前記閉状態に維持し、前記押圧部を前記枠部に近づくように押圧して前記爪部を前記開口から外すことにより前記開閉蓋を前記開状態にすることができる、
請求項１または２に記載の蓋体。
【請求項４】
前記容器本体の前記開口は、一平面上にあり、外周からフランジが延出し、
前記枠部は、前記枠部を前記容器本体の前記開口に被せ、外縁に設けた係合爪を前記フランジに当接させながら乗り越えさせることにより、前記平面に垂直な方向に係合させることができ、
前記係合爪は、前記フランジに対向する面が、前記平面と平行である、
請求項１から３のいずれかに記載の蓋体。
【請求項５】
開口を有する容器本体と、
前記容器本体の開口に取り付けられた請求項１から４のいずれかに記載の蓋体とを含む、包装容器。
【発明の詳細な説明】
【技術分野】
【０００１】
本発明は、容器本体の取り出し口をワンタッチで開閉できる蓋体およびこれを用いた包装容器に関するものである。
【背景技術】
【０００２】
容器本体の開口部に取り付けられ、押しボタンを押すことにより、開方向に付勢された開閉蓋をワンタッチで開くことができるようにした蓋体が知られている。
【０００３】
例えば、特許文献１には、支持軸を介して開閉自在に取り付けられた開閉蓋を備えた、容器本体の上端開口部に嵌合、固定される蓋体が開示されている。開閉蓋は、閉状態において、金属製の捻じりバネにより開方向に付勢される。また、開閉蓋は前端部に設けた係止片により蓋体と係合する。蓋体の使用者は、開閉蓋の係止片周辺を指先等で押圧することで蓋体の係止状態を解除して、開閉蓋を片手で開くことができる。
【先行技術文献】
【特許文献】
【０００４】
【特許文献１】特開２００２−１０４４５８号公報
【発明の概要】
【発明が解決しようとする課題】
【０００５】
特許文献１の蓋体のように付勢部材に金属製のバネを用いた場合には、付勢力が大きくなりすぎることにより、開閉蓋が勢いよく開いてしまうという問題があった。また、開閉蓋が勢いよく開くことを防ぐために、折り曲げた板ゴムにより付勢力を発生させる構造が知られている。しかしながら、このような構造の場合、折り曲げた板ゴムは、開閉蓋がある程度開いた状態になると付勢力が低下してしまう。このため、蓋体の係止状態を解除しても、開閉蓋が開く勢いが途中で低下してしまうという問題があった。
【０００６】
本発明はこのような課題に鑑みてなされたものであり、開閉蓋を好適な勢いで開かせることができる蓋体及びこれを用いた包装容器を提供することを目的とする。
【課題を解決するための手段】
【０００７】
上記課題を解決するための本発明の一局面は、容器本体の開口へ取り付け可能であり、容器本体の内容物の取り出し口が形成された枠部と、枠部に取り付けられ、取り出し口を閉塞した閉状態と、閉塞しない開状態との間でヒンジ機構によって搖動可能な開閉蓋と、開閉蓋の閉状態において、ヒンジ機構の近傍において開閉蓋と枠部の間でヒンジ機構に向かって屈曲部が突出するように折り曲げられて取り付けられた板ゴムとを含む蓋体であって、枠部は、板ゴムの移動を規制する規制部を備え、開閉蓋は、閉状態において、折り曲げられた板ゴムの一端縁に所定の押圧で当接するように、板ゴムに対向する面から突出する当接部を備え、板ゴムは、開閉蓋が閉状態から開状態になる際に、折り曲げられた状態から平坦に伸ばされた状態に向かって変形しながら、一端縁が当接部を押して、開閉蓋を開状態となる方向に付勢することができる、蓋体である。
【０００８】
また、本発明の他の局面は、開口を有する容器本体と、容器本体の開口に取り付けられた上記の蓋体とを含む、包装容器である。
【発明の効果】
【０００９】
本発明によれば、開閉蓋を好適な勢いで開かせることができる蓋体及びこれを用いた包装容器を提供することができる。
【図面の簡単な説明】
【００１０】
【図１】本発明の一実施形態に係る包装容器の平面図及び正面図
【図２】本発明の一実施形態に係る蓋体（開状態）の三面図
【図３】図１のＡ部拡大図
【図４】容器本体のフランジの変形例
【図５】板ゴムを取り付けた箇所周辺の三面図
【図６】係合爪の形成方法の一例を説明する図
【図７】爪部及び突出部の断面図
【図８】板ゴムの平面図
【図９】押しボタンの三面図
【図１０】板ゴムを取り付けた箇所周辺の断面図
【図１１】押しボタンの動きを示す断面図
【発明を実施するための形態】
【００１１】
図を参照して本発明の一実施形態に係る蓋体３００及びこれを用いた包装容器１００について説明をする。図１は、本発明の一実施形態に係る容器本体２００と、容器本体２００に取り付けられた閉状態の蓋体３００とを含む包装容器１００を示す平面図（図１の（ａ））及び正面図（図１の（ｂ））である。図２は、開状態の蓋体３００の平面図（図２の（ａ））、正面図（図２の（ｂ））及び側面図（図２の（ｃ））である。図３は、図１の点線で囲んだＡ部拡大図である。
【００１２】
なお、以下では、図１に矢印で示すように、前後左右上下の各方向は、閉状態の蓋体３００を取り付けた正立状態にある包装容器１００における前後左右上下の各方向として予め定義し、この定義に従って説明する。また、図１、図２では、要部の形状を明確にするため、適宜部材の一部を透過して示す。また、蓋体３００の閉状態とは、後述する取り出し口３１８を開閉蓋３２０により閉塞した状態をいい、開状態とは、取り出し口３１８が閉塞されていない、すなわち開放された状態をいう。
【００１３】
（包装容器及び容器本体）
包装容器１００は、図１に示すように、開口を有した容器本体２００と、容器本体２００の開口に取り付けられる蓋体３００とを備える。容器本体２００は、一例として略直方形の箱状に形成され、開口面は正立状態で水平となる。また、図３に示すように、開口の外周端縁から外方に向かって水平に伸びる頂面２１１と、外方に拡がる外周面２１２と、さらに水平方向に延出した端縁２１３とを含むフランジ２１０を有する。容器本体２００は、例えば、樹脂や紙等の材質を用いて、真空成型や射出成形等の周知の技術により形成することができる。
【００１４】
なお、容器本体２００の開口の外周縁に形成するフランジの形状は限定されず、例えば図４に示す変形例のように、開口の外周縁から水平に延伸する平面状に形成してもよい（フラットフランジ）。このようなフランジは、容器本体２００を紙やポリエチレンテレフタレート（ＰＥＴ）を用いて形成した場合には、図４の（ａ）に示すように、材料の端縁を折り曲げて形成できる。また、射出成形や真空成形で形成する場合には、図４の（ｂ）に示すように、端縁を折り曲げずに形成してもよい。
【００１５】
（蓋体）
蓋体３００は、枠部３１０と、開閉蓋３２０と、押しボタン３３０と、板ゴム３４０とを含んで構成される。図１に示すように、蓋体３００は枠部３１０により容器本体２００に固定される。開閉蓋３２０は、閉状態と、開状態との間でヒンジ機構３５０によって搖動可能に枠部３１０に取り付けられている。ヒンジ機構３５０は、一例として開閉蓋３２０から突出する２つの軸部と、枠部３１０に形成され開閉蓋３２０の軸部を挿入可能な凹部とにより構成される。なお、蓋体３００では、枠部３１０と開閉蓋３２０とを別体に形成したが一体に成形してもよい。また、ヒンジ機構３５０は、開閉蓋３２０を枠部３１０に搖動可能に取り付けることができれば形態は限定されず、枠部３１０と開閉蓋３２０とが一体に成形される場合には、枠部３１０と開閉蓋３２０とを連接する薄肉部により構成してもよい。枠部３１０及び開閉蓋３２０の材質としては、ポリプロピレン又は高密度ポリエチレン等の樹脂を用いることができ、押しボタン３３０の材質としてはポリプロピレン、高密度ポリエチレン又はＡＢＳ等の樹脂を用いることができる。
【００１６】
＜枠部＞
枠部３１０は、容器本体２００の開口に蓋体３００を固定するための部材である。枠部３１０は、天面部３１１と、外周壁３１２ａと、コンタクトリング３１２ｂと、インナーリング３１２ｃと、内周壁３１２ｄと、後方側凹部３１３と、前方側凹部３１４と、係合爪３１５と、取外し用つまみ３１６とを備える。
【００１７】
天面部３１１は、図１、図２に示すように、平面視において、略中央に矩形状の開口である取り出し口３１８を有する額縁形状の板状部材である。天面部３１１には、図３に示すように、外縁から内縁に向かって順に、外周壁３１２ａと、コンタクトリング３１２ｂと、インナーリング３１２ｃと、内周壁３１２ｄとが垂設されている。コンタクトリング３１２ｂは、蓋体３００を容器本体２００に取り付けた状態で、先端が容器本体２００のフランジ２１０の頂面２１１に当接するように形成されている。また、インナーリング３１２ｃは、蓋体３００を容器本体２００に取り付けた状態で、外周面の少なくとも一部が容器本体２００の開口内周面と対向するように形成されている。
【００１８】
後方側凹部３１３は、枠部３１０に板ゴム３４０を固定する面であり、枠部３１０の後方側において天面部３１１の一部を所定長さにわたって凹ませて形成される。板ゴム３４０を取り付けた箇所周辺の平面図（ａ）、正面図（ｂ）及び側面図（ｃ）を図５に示す。なお、図５では、要部の形状を明確にするため、適宜部材の一部を透過して示す。図５に示すように、後方側凹部３１３の上面には、板ゴム３４０の移動を規制する板ゴム保持軸３１３ａ（請求項の規制部に相当）が形成されている。板ゴム保持軸３１３ａは、円柱形状の軸部３１３ｂと、軸部３１３ｂの先端に設けられた鍔状の抜け防止部３１３ｃとを含む。後方側凹部３１３の左右両端のそれぞれにおいて上方に向かって延設され天面部３１１と連接する側壁面には、開閉蓋３２０に設けられた軸部を挿入してヒンジ機構３５０を構成する凹部（軸受け部）が形成されている。
【００１９】
前方側凹部３１４は、枠部３１０に押しボタン３３０を取り付ける箇所であり、枠部３１０の前方側において天面部３１１の一部を所定長さにわたって凹ませて形成される。前方側凹部３１４の左右両端のそれぞれにおいて上方に向かって延設され天面部３１１と連接する側壁面には、後述する押しボタン３３０に設けられた軸部３３５を嵌め込み可能な凹部（軸受け部）３１４ａが形成されている。
【００２０】
係合爪３１５は、蓋体３００を容器本体２００に固定するために設けられる。図２に示すように、係合爪３１５は、外周壁３１２ａの左右の下端縁に取り出し口３１８側へ向かって突出するように、前後方向へ所定幅にわたって形成される。図３に示すように、係合爪３１５の上方側の面は、容器本体２００への取り付け時に容器本体２００の開口面と平行になるように、すなわち取り付け時に水平になるように形成される。これにより、容器本体２００に固定された蓋体３００を、容器本体２００の鉛直上方に向かって引き離そうとしても、枠部３１０の外周壁３１２ａが拡がることで、フランジ２１０を容器本体２００の内方（開口側）に押し付けて（なでつけて）しまうことにより枠部３１０が外れてしまう方向に力が作用しにくい。このため枠部３１０が容器本体２００から容易に外れてしまうことを抑制できる。
【００２１】
係合爪３１５の下方側の面は、上方に向かって傾斜するテーパー形状に形成される。これにより、枠部３１０を容器本体２００の上方から被せて取り付ける際に、テーパー形状で容器本体２１０のフランジ２１０を内方に向かって押し付ける（なでつける）ことができるため、蓋体３００のスムーズな取り付けが可能になる。テーパー形状の角度は、例えば３°〜５°程度とすることができる。係合爪３１５をこのような構造にすることで、比較的剛性の低い真空成型により製造された容器本体や紙製の容器本体にも確実に係合させて取り付けることができる。
【００２２】
係合爪３１５は、図２に示すように、枠部３１０に設けられた外周壁３１２ａの左右端における前後方向にわたって所定の間隔を設けて２つ形成されてもよいし、１つであってもよい。係合爪３１５を所定の隙間を設けて２つ形成することにより、枠部３１０の左右方向端縁における剛性を低く抑えることができるため、容器本体２００から蓋体３００を取り外す際に蓋体３００を容易に変形させることができる。このため、わずかな力で蓋体３００を容器本体２００からの取り外すことが可能になる。したがって、取り付けやすく取りはずし易い、リユースに適した蓋体３００とすることができる。
【００２３】
取外し用つまみ３１６は、容器本体２００に取り付けられた蓋体３００をさらに取り外し易くするために設けられる。取外し用つまみ３１６は、図１、図２に示すように、外周壁３１２ａを挟んで係合爪３１５と対向するように、外周壁３１２ａの左右の下端縁から枠部３１０の外方へ向かって突出するように形成される。蓋体３００の使用者は、容器本体２００から蓋体３００を取り外す際に、取外し用つまみ３１６を掴んで外周壁３１２ａを外方に向かってわずかに変形させる。外周壁３１２ａが外方に向かって変形することにより、係合爪３１５のフランジ２１０へ当接が外れるため、蓋体３００を容器本体２００から容易に取り外すことができる。
【００２４】
枠部３１０の形成に射出成形を用いる場合、係合爪３１５の成形を容易にするために、一例として図２に示すように、天面部３１１の、係合爪３１５の上方に位置する箇所に開口３１１ａを設けてもよい。開口３１１ａを設けない場合、係合爪３１５はアンダーカット形状となるため、係合爪３１５を形成するための金型をスライド式にする等の対策が必要となり、金型が複雑な構造となるおそれがある。これに対して、開口３１１ａを設けることで、図６に示すように、係合爪３１５を形成するための金型５００を上下方向へ抜くことができ、金型をシンプルな構造とすることができる。また、開口３１１ａを設けることにより係合爪３１５近傍の天面部３１１の剛性を低く抑えることができるため、容器本体２００から蓋体３００を取り外す際に、係合爪３１５周辺が変形しやすくなり、蓋体３００を取り外し易くすることができる。
【００２５】
＜開閉蓋＞
開閉蓋３２０は、天板３２１と、周壁３２３と、連接部３２４とを備える。
【００２６】
天板３２１は、蓋体３００の閉状態において枠部３１０の取り出し口３１８に嵌まることで、取り出し口３１８を上方から覆って閉塞する板状部材であり、外周端縁には周壁３２３が垂設される。なお、図２に示すように、天板３２１の下面（内面）に、内容物を計量できる計量スプーンを固定するためのスプーン取り付け部３２２を設けてもよい。
【００２７】
周壁３２３の前方側であって押しボタン３３０に対向する面には、左右方向の中央部に周壁３２３から突出する爪部３２３ａが所定幅にわたって設けられている。また、爪部３２３ａの左右方向両側には、周壁３２３から突出する１対の突出部３２３ｂが所定幅にわたって設けられている。なお、突出部３２３ｂの数は１個であってもよい。図７に、図２の点線で囲んだＢ部の拡大図と、爪部３２３ａ及び突出部３２３ｂをそれぞれＣ−Ｃ’及びＤ−Ｄ’で切断した断面図を示す。図７に示すように、爪部３２３ａは、周壁３２３の上方から下方に向かって突出量が減少するように形成されている。また、突出部３２３ｂは、周壁３２３の上方から下方に向かって突出量が増加するように形成されている。詳細は後述するが、爪部３２３ａが、後述する押しボタン３３０に形成された開口３３３に嵌ることにより、開閉蓋３２０は開方向への動きが規制される。また、押しボタン３３０が押された際に押しボタン３３０の一部が、突出部３２３ｂに当接することで開閉蓋３２０の開方向への動きが促される。
【００２８】
連接部３２４は、枠部３１０に対して開閉蓋３２０を連接するとともに、板ゴム３４０を固定する部分でもある。図２、図５に示すように、連接部３２４は、枠部３１０の後方側凹部３１３に嵌め込むことができる板状の部材である。連接部３２４の後方の左右方向における端部にはそれぞれ、軸部が設けられ、軸部を後方側凹部３１３の側壁面に形成した凹部（軸受け部）に嵌め込むことにより、ヒンジ機構３５０が構成される。
【００２９】
図２、図５に示すように、連接部３２４は、板ゴム３４０に対向する面に、板ゴム３４０の動きを規制するための部材である、柱状の突出部３２４ａ及び左右方向に延設された壁面である当接部３２４ｂを備える。当接部３２４ｂは、少なくとも開閉蓋３２０の閉状態において、折り曲げられた板ゴム３４０の一端縁に所定の押圧で当接するように形成される。当接部３２４ｂの連接部３２４の表面からの高さは、板ゴム３４０が当接部３２４ｂを乗り越えて当接できないことを防ぐために、板ゴム３４０の厚みの２倍以上であることが好ましい。突出部３２４ａは、一例として左右方向に２つ並べて形成される。
【００３０】
＜板ゴム＞
板ゴム３４０は、閉状態から開状態にするための付勢力を開閉蓋３２０に加えるための部材である。板ゴム３４０は、図２、図５に示すように、ヒンジ機構３５０の近傍において開閉蓋３２０と枠部３１０の間でヒンジ機構３５０に向かって屈曲部が突出するように折り曲げられて取り付けられる。図８に、枠部３１０及び開閉蓋３２０に取り付ける前の状態の板ゴム３４０の平面図を示す。図８に示すように、板ゴム３４０は、一例として左右方向の長さが前後方向の長さよりも長いほぼ矩形状の板状部材であり、突出部３２４ａを挿通するための２つの第１の孔３４１と、板ゴム保持軸３１３ａを挿通するための第２の孔３４２とが形成されている。板ゴム３４０の材質には、シリコンゴム等を用いることができる。板ゴム３４０の材質にシリコンゴムを用いることで、食品向けの包装容器に好適に用いることができる。
【００３１】
板ゴム３４０は、枠部３１０及び開閉蓋３２０に取り付けられる際には、図５に示すように、一端縁が当接部３２４ｂに対向するように取り付けられる。この際、板ゴム３４０は、第１の孔３４１に突出部３２４ａを挿通し、第２の孔３４２に板ゴム保持軸３１３ａを挿通することにより開閉蓋３２０及び枠部３１０に対して固定される。このように、板ゴム３４０は、第１の孔３４１及び第２の孔３４２へ突出部３２４ａ及び板ゴム保持軸３１３ａをそれぞれ挿通することにより枠部３１０及び開閉蓋３２０への取り付けることができるため、シンプルな作業で容易な取り付けが可能である。なお、第２の孔３４２に板ゴム保持軸３１３ａを挿通する際には、第２の孔３４２に抜け防止部３１３ｃを通すために、板ゴム３４０を左右方向へ伸ばしながら（第２の孔３４２を拡げながら）取り付け作業を行ってもよい。
【００３２】
板ゴム３４０の枠部３１０及び開閉蓋３２０への取り付けを容易にし、かつ確実に固定するために、板ゴム３４０と当接部３２４ｂとのクリアランス（隙間）は、０ｍｍ以上０．１ｍｍ以下であることが好ましい。また、第１の孔３４１と突出部３２４ａとのクリアランスは、直径で０．２ｍｍ以上０．５ｍｍ以下であることが好ましい。また、第２の孔３４２と板ゴム保持軸３１３ａの軸部３１３ｂとのクリアランスは、直径で０．０５ｍｍ以上０．２ｍｍ以下であることが好ましい。また、板ゴム保持軸３１３ａの抜け防止部３１３ｃの下面と板ゴム３４０の表面とのクリアランスは、０ｍｍ以上０．１ｍｍ以下であることが好ましい。
【００３３】
なお、板ゴム３４０の厚みは一定でなくてもよく、例えば屈曲部周辺の厚みを厚くすることにより付勢力を増加させる等してもよい。
【００３４】
＜押しボタン＞
押しボタン３３０は、枠部３１０の容器本体とは反対側の面上に搖動可能に取り付けられ、開閉蓋３２０の閉状態を維持する機能を有する。図１、図２に示すように、押しボタン３３０は、前方側凹部３１４に取り付けられる。図９に、押しボタン３３０の平面図（図９の（ａ））、正面図（図９の（ｂ））及び側面図（図９の（ｃ））を示す。図９に示すように、押しボタン３３０は、押圧部３３１と、バネ部３３２と、開口３３３と、押し上げ爪部３３４と、軸部３３５とを含む。
【００３５】
押圧部３３１は、蓋体３００の閉状態を解除する際に、使用者が押圧する板状の部材である。図９に示すように、押圧部３３１は、一例として矩形状に形成されている。
【００３６】
バネ部３３２は、押圧部３３１の枠部３１０に対向する面に設けられ、前方側凹部３１４に当接して、押圧部３３１を枠部３１０から離れる方向に付勢する部材である。図９に示すように、バネ部３３２は、一例として板状の部材の先端を、断面が滑らかに弧を描くように折り曲げて（カールさせて）形成することができる。
【００３７】
開口３３３は、開閉蓋３２０が閉状態にあるときに周壁３２３に設けた爪部３２３ａを嵌め込むことができる部分であり、図９に示すように、押圧部３３１の前方側の端部に垂設される壁面に設けられる。
【００３８】
押し上げ爪部３３４は、押圧部３３１を押圧した際に、開閉蓋３２０の突出部３２３ｂを下方から持ち上げるために、押圧部３３１の前方側の端部に垂設される壁面からさらに前方に向かって突出するように設けられる。図９に示すように、押し上げ爪部３３４は、一例として開口３３３の左右方向両側に１個ずつ設けられる。
【００３９】
軸部３３５は、押しボタン３３０を枠部３１０に搖動可能に軸支するために設けられる。軸部３３５は、柱状であり、押圧部３３１の前方側の端部に垂設される壁面の左右方向の両端から突出するように形成される。軸部３３５を、枠部３１０の前方側凹部３１４に設けた凹部３１４ａに嵌め込むことにより押しボタン３３０を枠部３１０に取り付けることができる。
【００４０】
（板ゴムの機能）
次に、図１０を参照して板ゴム３４０の機能を説明する。図１０に、開状態にある開閉蓋３２０の板ゴム３４０を取り付けた箇所周辺の断面図を示す。
【００４１】
押しボタン３３０が押され、開閉蓋３２０が閉状態から開状態になる際には、板ゴム３４０は、図１０の（ａ）に示すように、折り曲げられた状態から平坦に伸ばされた状態に向かって変形する。この際、板ゴム３４０は、折り曲げられた状態から伸びるため、矢印Ｆ２の方向に向かう力により連接部３２４の表面を押す。さらに、これと同時に、当接部３２４ｂを押す力も矢印Ｆ１の方向に作用する。これにより、板ゴム３４０の延びる力を連接部３２４と当接部３２４ｂとの２箇所で受けることで、有効に開閉蓋３２０を開方向へ付勢する力に用いることができる。これにより、蓋体３００では、開閉蓋３２０が開く勢いが途中で低下してしまうことを抑制できる。
【００４２】
一方、開閉蓋３２０が開状態から閉状態になる際には、図１０の（ｂ）に示すように、開閉蓋３２０に設けられた突出部３２４ａが、板ゴム３４０の屈曲部がヒンジ機構３５０に向かって突出するように折り曲げられるように、板ゴム３４０の折り曲げられる方向を規制する。具体的には、図１０の白抜き矢印で示すように、突出部３２４ａは、板ゴム３４０の第１の孔３４１に挿通されているため、第１の孔３４１の壁面をヒンジ機構３５０の方向へ向かって押し付ける。この結果、開閉蓋３２０が開状態から閉状態になる際に、板ゴム３４０がヒンジ機構３５０とは反対側の方向である前方側に向かって反転してしまうことを防止できる。板ゴム３４０の反転を確実に防ぐために、突出部３２４ａの高さは板ゴム３４０の厚みより大きいことが好ましい。
【００４３】
（押しボタンの動作）
次に、図１１を参照して押しボタン３３０の動作を説明する。図１１の（ａ）〜（ｃ）のそれぞれに、閉状態となる直前、閉状態、閉状態が解除された直後の押しボタン３３０周辺の断面図を示す。各図は、左図が爪部３２３ａを左右方向に直交する断面で切断した断面図であり、右図が突出部３２３ｂを左右方向に直交する断面で切断した断面図である。
【００４４】
図１１の（ａ）に示すように、開閉蓋３２０が開状態から閉状態になる際は、開閉蓋３２０の爪部３２３ａ先端が、押しボタン３３０の後方側端部に当接しながら下方へ降りる。このとき、押しボタン３３０の押圧部３３１は、バネ部３３２により上方に向かって付勢されている。このため、爪部３２３ａが押しボタン３３０の開口３３３に嵌る直前に、爪部３２３ａが押しボタン３３０の後方側端部を乗り越えることによって「カチッ」という係合音が発生する。これにより、使用者は、閉状態になったことを明確に認識することができるため好ましい。
【００４５】
図１１の（ｂ）に示すように、開閉蓋３２０の爪部３２３ａが、開口３３３に嵌ることにより開閉蓋３２０が閉状態になる。爪部３２３ａが開口３３３に嵌ることで、開閉蓋３２０は開方向への動きが規制され、板ゴム３４０により開方向へ付勢されていても、閉状態を維持することができる。また、このときも、押しボタン３３０の押圧部３３１は、バネ部３３２により上方に向かって付勢されている。このため、開閉蓋３２０をロックする機構を別途設けることなく、押圧部３３１が外部からの偶発的な衝撃等により下方へ下がってしまい爪部３２３ａが開口３３３から抜けることで、閉状態が解除されることを防ぐことができる。
【００４６】
蓋体３００の使用者が押しボタン３３０の押圧部３３１を下方へ向かって押すと、図１１の（ｃ）に示すように、押しボタン３３０は、バネ部３３２が弾性変形するため、軸部３３５を中心にして前方へ向かって傾く。開閉蓋３２０は板ゴム３４０により開方向へ付勢されているため、ボタン３３０の傾き量が所定量を超えると、爪部３２３ａが開口３３３から外れる。この結果、開閉蓋３２０は板ゴム３４０の付勢力によって開状態となる。
【００４７】
また、このとき同時に、右図に示すように、ボタン３３０の押し上げ爪部３３４は、ボタン３３０が前方へ傾くことにより下方から開閉蓋３２０の突出部３２３ｂを押し上げる（ジャッキアップ）。この結果、開閉蓋３２０は開方向への動きを促されるため、ワンタッチで確実に開くことができる。開閉蓋３２０の押し上げは、爪部３２３ａが開口３３３から外れる動きと同時に行われるため、開閉蓋３２０の閉状態から開状態への動きはスムーズに行われる。また、蓋体３００において、押し上げ爪部３３４と突出部３２３ｂとは、それぞれ２個ずつ左右方向に並べて設けられているため、開閉蓋３２０を傾けることなく水平に押し上げることができるため、水平方向に傾いた状態で持ち上げられた開閉蓋３２０が枠部３１０に引っ掛かる等して開方向への動作が妨げられることを防止できる。
【００４８】
なお、押しボタン３３０のバネ部３３２の形態は、特に限定されないが、バネ部３３２のように先端を折り曲げた板状の部材で形成することにより、押圧した際及び押圧した状態から戻る際の押しボタン３３０の動きが滑らかになる。また、枠部３１０との接触部が押圧量にともない移動するため、枠部３１０の局部的な磨耗を抑制することができる
【産業上の利用可能性】
【００４９】
本発明は、包装容器の蓋体に用いることができる。
【符号の説明】
【００５０】
１００    包装容器
２００    容器本体
２１０    フランジ
３００    蓋体
３１０    枠部
３１１    天面部
３１２ａ    外周壁
３１２ｂ    コンタクトリング
３１２ｃ    インナーリング
３１２ｄ    内周壁
３１３    後方側凹部
３１３ａ    板ゴム保持軸
３１４    前方側凹部
３１４ａ    凹部（軸受け部）
３１５    係合爪
３１６    取外し用つまみ
３１８    取り出し口
３２０    開閉蓋
３２１    天板
３２２    スプーン取り付け部
３２３    周壁
３２３ａ    爪部
３２３ｂ    突出部
３２４    連接部
３２４ａ    突出部
３２４ｂ    当接部
３３０    押しボタン
３３１    押圧部
３３２    バネ部
３３３    開口
３３４  押し上げ爪部
３３５    軸部
３４０    板ゴム
３４１    第１の孔
３４２    第２の孔
３５０    ヒンジ機構
【図１】
2020132209.tif 000003
【図２】
2020132209.tif 000004
【図３】
2020132209.tif 000005
【図４】
2020132209.tif 000006
【図５】
2020132209.tif 000007
【図６】
2020132209.tif 000008
【図７】
2020132209.tif 000009
【図８】
2020132209.tif 000010
【図９】
2020132209.tif 000011
【図１０】
2020132209.tif 000012
【図１１】
2020132209.tif 000013